(57)【特許請求の範囲】
【請求項１】
地中に打込む杭体と、該杭体の側面に回転軸で軸着された拡開羽根とで構成され、拡開羽根は、回転軸から杭体の下方の長手方向に沿って重なる下羽根と、回転軸から杭体の上方の斜め外側へ向けて広がる上羽根とを備え、これら下羽根及び上羽根は、杭体を中に打込んだ際の地盤の抵抗を受けると回転軸を中心として杭体の外側に向けて広がるように構成されたことを特徴とする拡開羽根付地中アンカー。
【請求項２】
前記拡開羽根を一対形成し、これらの拡開羽根を重ねた状態で前記回転軸に軸支すると共に、各拡開羽根の前記上羽根がそれぞれ前記杭体を介して左右に向いた状態で連結された請求項１記載の拡開羽根付地中アンカー。
【請求項３】
前記拡開羽根の前記下羽根は、前記杭体の側面に形成された収納スペース内に収納された請求項１又は２記載の拡開羽根付地中アンカー。
【請求項４】
前記拡開羽根は、前記杭体の長手方向に沿って複数連設され、各杭体の広がる向きが異なるように構成された請求項１乃至３いずれか記載の拡開羽根付地中アンカー。
【請求項５】
前記拡開羽根は、一方が前記杭体の左右に広がるように構成され、他方が前記杭体の前後に広がるように構成された請求項４記載の拡開羽根付地中アンカー。
【発明の詳細な説明】
【技術分野】
【０００１】
本発明は、アンカーを地中に打込むだけでアンカーの支持力を高めることができる拡開羽根付地中アンカーに関するものである。
【背景技術】
【０００２】
地中に打込んだアンカーの支持力を高めるために、地中で広がる拡開羽根を装着したアンカーが各種提案されている。特許文献１に記載のアンカーは、アンカー用の鋼棒をボルト状に形成し、この鋼棒を回転させて鋼棒にネジ止めしたナットを鋼棒の先端方向に移動させることで、鋼棒の先端部分に装着している拡開羽根を押し広げ、この拡開羽根を垂直状態から水平状態に変化させるものである。
【０００３】
一方、特許文献２に記載のアンカーは、アンカーの内部に軸体を挿通し、アンカーの下方で拡開する左右一対の拡開羽根を軸体に連結したものである。このアンカーは、地中に打込んだ後で、地表上に設置したセンターホールジャッキを用いて軸体をジャッキアップすることにより、軸体に連結している拡開羽根を地中で広げるものである。
【先行技術文献】
【特許文献】
【０００４】
【特許文献１】実開平６−８７４３１号公報
【特許文献２】特開２００５‐１４６５４５号公報
【発明の概要】
【発明が解決しようとする課題】
【０００５】
従来のアンカーによると、いずれもアンカーを地中に打込んだ後に、ボルト状のアンカーを回転させたり、あるいは軸体をジャッキアップしたりして、地中の拡開羽根を広げるものである。
【０００６】
ところが、地中に打込んだ後で拡開羽根を広げる際に、地中の圧力が拡開羽根を圧迫しているので、この拡開羽根を簡単に広げることが困難になっていた。そのため、特許文献１に記載のアンカーでは、軟弱地盤に使用することは可能でも、地盤が締まった状態の地中で拡開羽根を広げることは困難である。
【０００７】
一方、特許文献２に記載のアンカーでは、地表にセンターホールジャッキなる装置を使用して軸体をジャッキアップするので、地盤が締まった状態の地中でも拡開羽根を拡開させることが可能になっている。
【０００８】
ところが、一般にアンカーを打込む作業では、通常、打込み用のハンマー等は用意されていても、センターホールジャッキなる特殊な装置を準備することは極めて少ない。そのため、特許文献２に記載のアンカーのように、センターホールジャッキなる装置が必要なアンカーでは、使用可能な状況が極めて限定される不都合があった。
【０００９】
そこで、本発明は上述の課題を解消すべく創出されたもので、打込み用のハンマー等を使用するのみで、締まった状態の地中でも拡開羽根を広げることができる拡開羽根付地中アンカーの提供を目的とするものである。
【課題を解決するための手段】
【００１０】
上述の目的を達成すべく本発明の第１の手段は、地中に打込む杭体１と、該杭体１に回転軸５で軸着された拡開羽根４とで構成され、拡開羽根４は、回転軸５から杭体１の下方の長手方向に沿って重なる下羽根４Ａと、回転軸５から杭体１の上方の斜め外側へ向けて広がる上羽根４Ｂとを備え、これら下羽根４Ａ及び上羽根４Ｂは、杭体１を中に打込んだ際の地盤の抵抗を受けると回転軸５を中心として杭体１の外側に向けて広がるように構成されたことにある。
【００１１】
第２の手段は、前記拡開羽根４を一対形成し、これらの拡開羽根４を重ねた状態で前記回転軸５に軸支すると共に、各拡開羽根４の前記上羽根４Ｂがそれぞれ前記杭体１を介して左右に向いた状態で連結されたものである。
【００１２】
第３の手段において、前記拡開羽根４の前記下羽根４Ａは、前記杭体１の側面に形成された収納スペース１Ｂ内に収納されたものである。
【００１３】
第４の手段において、前記拡開羽根４は、前記杭体１の長手方向に沿って複数連設され、各杭体１の広がる向きが異なるように構成されたものである。
【００１４】
第５の手段において、前記拡開羽根４は、一方が前記杭体１の左右に広がるように構成され、他方が前記杭体１の前後に広がるように構成されたことを課題解消のための手段とする。
【発明の効果】
【００１５】
本発明の請求項１のごとく、拡開羽根４は、回転軸５から杭体１の下方の長手方向に沿って重なる下羽根４Ａと、回転軸５から杭体１の上方の斜め外側へ向けて広がる上羽根４Ｂとを備え、これら下羽根４Ａ及び上羽根４Ｂは、杭体１を中に打込んだ際の地盤の抵抗を受けると回転軸５を中心として杭体１の外側に向けて拡開するように構成したことにより、打込み用のハンマー等で杭体１を地中に打込むだけの作業によって、拡開羽根４を地中で拡開させることができる。しかも、拡開羽根４を拡開せしめる力は、杭体１を地中に打込む力を利用するので、杭体１が地中に埋設された深さに比例して拡開羽根４が広がっていることを確認できる合理的な構成になっている。
【００１６】
請求項２のように、一対の拡開羽根４を重ねた状態で回転軸５に軸支すると共に、各拡開羽根４の上羽根４Ｂがそれぞれ杭体１を介して左右に向いた状態で連結することにより、杭体１の左右で二つの拡開羽根４が拡開するので、地中での係止力を高めることができる。
【００１７】
請求項３のごとく、拡開羽根４の下羽根４Ａは、杭体１の側面に形成された収納スペース１Ｂ内に収納されたことで、杭体１をある深さに打込むまでは、拡開羽根４が地盤の抵抗を受けにくい状態になっている。したがって、杭体１が安定するまでは、少ない打込み力で済むものである。
【００１８】
請求項４のように、拡開羽根４は、前記杭体１の長手方向に沿って複数連設され、各杭体１の広がる向きが異なるように構成することで、拡開羽根４の連設数によって係止力を調整することができる。したがって、軟弱な地盤に対しては、この拡開羽根４の数を変更することで対応することが可能になる。
【００１９】
請求項５の如く、拡開羽根４は、一方が前記杭体１の左右に広がるように構成され、他方が前記杭体１の前後に広がるように構成されたことで、杭体１の前後左右に係止力が得られるものである。この結果、杭体１に対してあらゆる方向から加わる引き抜き荷重に耐えることが可能になる。
【図面の簡単な説明】
【００２０】
【図１】本発明の一実施例を示す斜視図である。
【図２】本発明の一実施例を示す側面図である。
【図３】本発明の拡開羽根の一実施例を示す正面図である。
【図４】（イ）乃至（ヘ）は、本発明の打込み状態を示す概略図である。
【図５】本発明の他の実施例を示す斜視図である。
【発明を実施するための形態】
【００２１】
このように本発明によると、打込み用のハンマーを使用するのみで、締まった状態の地中でも拡開羽根を広げることができるといった当初の目的を達成した。
【実施例】
【００２２】
以下、本発明アンカーの一実施例を説明する。本発明アンカーの基本構成は、杭体１に回転軸５で軸支された拡開羽根４によって構成されている（図１参照）。
【００２３】
杭体１は、地中に打込む部材で、この杭体１の先端付近に拡開羽根４が軸着されている。そして、杭体１の側面に形成した収納スペース１Ｂ内に拡開羽根４を収納している（図２参照）。図示の杭体１は２枚の帯板状を成している。そして、スペーサー２を介して重ねた杭体１相互を連結ピン３と固定軸６とで連結すると共に、杭体１相互の間に形成された収納スペース１Ｂに前記拡開羽根４を軸支したものである。このように、杭体１の内部に拡開羽根４の一部を収納しておくと、杭体１を地中に打込む際の抵抗を少なくすることができる。
【００２４】
また、図中、符号１Ａは、フック部を示し、地中に固定したアンカーに他の部材を連結する際に使用する（図１参照）。杭体１の形状は図示例に限られず、このほか円柱状の杭体１や角柱状の杭体１などを１本で使用することも可能である（図示せず）。
【００２５】
拡開羽根４は、杭体１の側面に回転軸５で軸支されるもので、下羽根４Ａと上羽根４Ｂとで略く字形状に形成されている（図３参照）。下羽根４Ａは、杭体１に軸着した回転軸５より下方の長手方向に沿って重なる部材で、上羽根４Ｂは、回転軸５より上方の斜め外側へ向けて広がるように形成されている。このため、これら下羽根４Ａ及び上羽根４Ｂは、杭体１を中に打込んだ際の地盤の抵抗を受けると回転軸５を中心として杭体１の外側に向けて広がるように構成されている。このとき、下羽根４Ａの下端部に係止部４Ｃを設け、固定軸６に係合するように構成している。この係止部４Ｃは、上羽根４Ｂが開き始めるまで下羽根４Ａが杭体１の位置からずれないように係止するものである。
【００２６】
図示例では、拡開羽根４を一対形成し、これらの拡開羽根４を重ねた状態で回転軸５に軸支すると共に、杭体１の側面に形成された収納スペース１Ｂ内に下羽根４Ａを収納している（図１参照）。更に、各拡開羽根４の上羽根４Ｂがそれぞれ杭体１の左右に向いた状態を成している。この一対の拡開羽根４によると、地中の中で杭体１の左右に広がり、強力な係止力が得られるようになる。このほか、杭体１側面の上下位置を変えて拡開羽根４を個別に軸支したり、あるいは、収納スペース１Ｂに収納せずに杭体１の外側面に拡開羽根４を軸支したりすることも可能である（図示せず）。
【００２７】
図４は、本発明アンカーを地中に打込んで拡開羽根４を開く状態を説明した図である。すなわち、（イ）の状態から杭体１の上端部をハンマー等で打込むと、（ロ）のように、杭体１の下端部と共に下羽根４Ａが地中に埋設される。更に、杭体１を打込むと、（ハ）のごとく、上羽根４Ｂが地表の抵抗を受けて杭体１側に回転を始め、これに伴って、地中の下羽根４Ａが外側に広がり始める。更に打込むと、（ニ）のごとく、上羽根４Ｂが杭体１に重なって地中の抵抗を受けなくなる代わりに、左右に開いた下羽根４Ａがより大きく広がる。その後、（ホ）のごとく、下羽根４Ａが更に大きく開くと、杭体１に重なっていた上羽根４Ｂが反対側に回転して広がり出す。最後に下羽根４Ａと上羽根４Ｂとが地中で左右に大きく広がると、（へ）のごとく、杭体１はそれ以上打込むことができなくなり、杭体１を引き抜くことも困難になる。
【００２８】
図５は、本発明アンカーの他の実施例を示している。この実施例では、杭体１の長手方向に沿って拡開羽根４を複数連設し、各杭体１の広がる向きが異なるように構成したものである。図示例の拡開羽根４は、一方の拡開羽根４が杭体１の左右に広がり、他方の拡開羽根４が杭体１の前後に広がるように構成されたものである。また、拡開羽根４の数は図示例に限定されず、また、拡開羽根４が広がる向きも任意に変更できるものである。
【００２９】
このように、本発明の各構成は図示例に限定されるものではなく、本発明の要旨を変更しない範囲において自由に変更できるものである。
【産業上の利用可能性】
【００３０】
本発明は、地中に埋設するアンカーとして説明しているが、このほか、海底に打込むアンカーや雪中に打込むアンカー等として多目的に利用することも可能である。
【符号の説明】
【００３１】
１  杭体
１Ａ  フック部
２  スペーサー
３  連結ピン
４  拡開羽根
４Ａ  下羽根
４Ｂ  上羽根
４Ｃ  係止部
５  回転軸
６  固定軸
【図１】
0005551146.tif 000002
【図２】
0005551146.tif 000003
【図３】
0005551146.tif 000004
【図４】
0005551146.tif 000005
【図５】
0005551146.tif 000006